(57)【要約】      （修正有）【課題】ユーザの負担を軽減する。【解決手段】設定部５２は、貨幣処理装置の使用環境に関する使用環境情報を設定するように構成される。搬送部３０は、貨幣を搬送するように構成される。識別部２１は、貨幣の種別を識別するように構成される。制御部５３は、識別部における貨幣の識別結果に応じて搬送部による貨幣の搬送を制御するように構成される。また、制御部は、識別部によって識別された貨幣の種別が予め定められた特定種別に該当する場合に、設定部において設定された使用環境情報に応じて貨幣の搬送を制御する。【選択図】図３
2017173863.tif 000002
【特許請求の範囲】
【請求項１】
貨幣を処理する貨幣処理装置であって、
当該貨幣処理装置の使用環境に関する使用環境情報を設定するように構成された設定部と、
前記貨幣を搬送するように構成された搬送部と、
前記貨幣の種別を識別するように構成された識別部と、
前記識別部における前記貨幣の識別結果に応じて前記搬送部による前記貨幣の搬送を制御するように構成された制御部とを備え、
前記制御部は、前記識別部によって識別された前記貨幣の種別が予め定められた特定種別に該当する場合に、前記設定部において設定された使用環境情報に応じて当該貨幣の搬送を制御する
ことを特徴とする貨幣処理装置。
【請求項２】
請求項１において、
前記使用環境情報は、当該貨幣処理装置の使用場所に関する使用場所項目と、当該貨幣処理装置を設置する店舗に関する店舗項目と、当該貨幣処理装置の使用対象者に関する使用対象者項目とのうち少なくとも１つを含んでいる
ことを特徴とする貨幣処理装置。
【請求項３】
請求項２において、
前記使用場所項目は、当該貨幣処理装置の設置場所が属する国または地域を示している
ことを特徴とする貨幣処理装置。
【請求項４】
請求項２において、
前記使用場所項目は、当該貨幣処理装置の施設内における設置位置を示している
ことを特徴とする貨幣処理装置。
【請求項５】
請求項２〜４のいずれか１項において、
前記店舗項目は、当該貨幣処理装置を設置する店舗の業種を示している
ことを特徴とする貨幣処理装置。
【請求項６】
請求項２〜５のいずれか１項において、
前記使用対象者項目は、当該貨幣処理装置の使用対象者の種別を示している
ことを特徴とする貨幣処理装置。
【請求項７】
請求項１〜６のいずれか１項において、
前記制御部は、前記識別部によって識別された前記貨幣の種別が前記特定種別に該当する場合に、前記設定部において設定された使用環境情報に応じて、当該貨幣の搬送を停止する
ことを特徴とする貨幣処理装置。
【請求項８】
請求項１〜６のいずれか１項において、
前記制御部は、前記識別部によって識別された前記貨幣の種別が前記特定種別に該当する場合に、前記設定部において設定された使用環境情報に応じて、当該貨幣を予め定められた搬送先へ搬送する
ことを特徴とする貨幣処理装置。
【請求項９】
請求項８において、
前記搬送先は、前記貨幣を当該貨幣処理装置外へ返却するための返却部と、前記貨幣を当該貨幣処理装置内に取り込むための受取部とを含み、
前記特定種別は、偽貨に該当し、
前記制御部は、前記識別部によって識別された前記貨幣の種別が前記偽貨に該当する場合に、前記使用環境情報に応じて、当該貨幣を前記返却部に搬送するか、または当該貨幣を前記受取部に搬送するかを決定する
ことを特徴とする貨幣処理装置。
【請求項１０】
請求項８において、
前記特定種別は、損貨に該当し、
前記制御部は、前記識別部によって識別された前記貨幣の種別が前記損貨に該当する場合に、前記使用環境情報に応じて、当該貨幣を損貨として処理するか、または当該貨幣を正貨として処理するかを決定する
ことを特徴とする貨幣処理装置。
【請求項１１】
請求項８において、
前記搬送先は、第１収納部と、前記第１収納部のセキュリティレベルよりも高いセキュリティレベルを有する第２収納部とを含み、
前記特定種別は、出金リジェクト貨幣に該当し、
前記制御部は、前記識別部によって識別された前記貨幣が前記出金リジェクト貨幣に該当する場合に、前記使用環境情報に応じて、当該貨幣を前記第１収納部に搬送するか、または当該貨幣を前記第２収納部に搬送するかを決定する
ことを特徴とする貨幣処理装置。
【請求項１２】
請求項１〜１１のいずれか１項において、
当該貨幣処理装置の使用状態を検出する状態検出部をさらに備え、
前記制御部は、前記使用状態と前記使用環境情報に応じて前記貨幣の搬送を制御する
ことを特徴とする貨幣処理装置。
【請求項１３】
請求項１２において、
前記貨幣を収納するように構成された収納部をさらに備え、
前記制御部は、前記状態検出部が前記収納部の満杯状態を検出した場合に、前記使用環境情報に応じて、満杯状態となった前記収納部に搬送すべき種別の貨幣の搬送を制御する
ことを特徴とする貨幣処理装置。
【請求項１４】
請求項１２において、
前記貨幣を収納するように構成された収納部をさらに備え、
前記制御部は、前記状態検出部が前記識別部によって識別された貨幣の種別が前記収納部に割り当てられていないことを検出した場合に、前記使用環境情報に応じて、当該種別の貨幣の搬送を制御する
ことを特徴とする貨幣処理装置。
【請求項１５】
請求項１２において、
前記貨幣を収納するように構成され、前記貨幣処理装置に対し着脱可能な収納部をさらに備え、
前記制御部は、前記状態検出部が前記貨幣処理装置から前記収納部が取り外されていることを検出した場合に、前記使用環境情報に応じて、取り外されている前記収納部に搬送すべき貨幣の搬送を制御する
ことを特徴とする貨幣処理装置。
【請求項１６】
請求項１〜１５のいずれか１項において、
当該貨幣処理装置の操作者が予め定められた特定作業員に該当するか否かを判定する操作者判定部をさらに備え、
前記設定部は、前記操作者判定部において前記操作者が前記特定作業員に該当すると判定された場合に、当該操作者による操作に応じた前記使用環境情報の設定を許可されるように構成されている
ことを特徴とする貨幣処理装置。
【請求項１７】
貨幣処理装置により貨幣の処理を行う貨幣処理方法であって、
前記貨幣処理装置の使用環境に関する使用環境情報を設定する設定ステップと、
前記貨幣の種別を識別する識別ステップと、
前記設定ステップにおいて設定された使用環境情報に応じて、前記貨幣の種別のうち予め定められた特定種別に該当する貨幣の搬送を制御する搬送制御ステップとを備えている
ことを特徴とする貨幣処理方法。
【発明の詳細な説明】
【技術分野】
【０００１】
ここに開示する技術は、貨幣を処理する貨幣処理技術に関する。
【背景技術】
【０００２】
従来、金融機関などの貨幣を取り扱う場面において貨幣処理装置が利用されている。この種の貨幣処理装置は、例えば、特許文献１などに開示されている。特許文献１には、ユーザからの操作指示に応じて幾つかのモードで動作するように構成された貨幣処理システムが開示されている。
【先行技術文献】
【特許文献】
【０００３】
【特許文献１】米国特許第６９２９１０９号明細書
【発明の概要】
【発明が解決しようとする課題】
【０００４】
しかしながら、特許文献１の貨幣処理システムは、ユーザからの操作指示に応じてモード毎の各種貨幣の搬送制御の設定を行っているが、近年、貨幣処理装置の搬送制御は複雑性を増しており、特許文献１のように、ユーザ自身が正しく設定を行うことは難しく、ユーザにとって負担となっている。
【０００５】
そこで、ここに開示する技術は、ユーザの負担を軽減することができる貨幣処理装置および貨幣処理方法を提供することを目的とする。
【課題を解決するための手段】
【０００６】
ここに開示する技術は、貨幣を処理する貨幣処理装置に関し、この貨幣処理装置は、当該貨幣処理装置の使用環境に関する使用環境情報を設定するように構成された設定部と、前記貨幣を搬送するように構成された搬送部と、前記貨幣の種別を識別するように構成された識別部と、前記識別部における前記貨幣の識別結果に応じて前記搬送部による前記貨幣の搬送を制御するように構成された制御部とを備え、前記制御部は、前記識別部によって識別された前記貨幣の種別が予め定められた特定種別に該当する場合に、前記設定部において設定された使用環境情報に応じて当該貨幣の搬送を制御する。
【０００７】
前記の構成では、設定部において貨幣処理装置の使用環境に関する使用環境情報を設定することにより、制御部において使用環境情報に応じた制御（搬送部による貨幣の搬送に関する制御）を行うことができる。これにより、貨幣処理装置の使用環境に応じて貨幣の搬送を自動的に制御することができるので、ユーザの負担を軽減することができる。
【０００８】
前記使用環境情報は、当該貨幣処理装置の使用場所に関する使用場所項目と、当該貨幣処理装置を設置する店舗に関する店舗項目と、当該貨幣処理装置の使用対象者に関する使用対象者項目とのうち少なくとも１つを含んでいてもよい。
【０００９】
前記の構成では、貨幣処理装置の使用場所と貨幣処理装置を設置する店舗と貨幣処理装置の使用対象者とのうち少なくとも１つに応じて貨幣の搬送を自動的に制御することができる。
【００１０】
前記使用場所項目は、当該貨幣処理装置の設置場所が属する国または地域を示していてもよいし、当該貨幣処理装置の施設内における設置位置を示していてもよい。
【００１１】
前記の構成では、貨幣処理装置の設置場所が属する国または地域や貨幣処理装置の施設内における設置位置に応じて貨幣の搬送を自動的に制御することができる。
【００１２】
前記店舗項目は、当該貨幣処理装置を設置する店舗の業種を示していてもよい。
【００１３】
前記の構成では、貨幣処理装置を設置する店舗の業種に応じて貨幣の搬送を自動的に制御することができる。
【００１４】
前記使用対象者項目は、当該貨幣処理装置の使用対象者の種別を示していてもよい。
【００１５】
前記の構成では、貨幣処理装置の使用対象者の種別に応じて貨幣の搬送を自動的に制御することができる。
【００１６】
前記制御部は、前記識別部によって識別された前記貨幣の種別が前記特定種別に該当する場合に、前記設定部において設定された使用環境情報に応じて、当該貨幣の搬送を停止するように構成されていてもよい。
【００１７】
前記の構成では、貨幣処理装置の使用環境に応じて貨幣の搬送を停止させることができる。
【００１８】
前記制御部は、前記識別部によって識別された前記貨幣の種別が前記特定種別に該当する場合に、前記設定部において設定された使用環境情報に応じて、当該貨幣を予め定められた搬送先へ搬送するように構成されていてもよい。
【００１９】
前記の構成では、貨幣処理装置の使用環境に応じて貨幣を予め定められた搬送先へ搬送することができる。
【００２０】
前記搬送先は、前記貨幣を当該貨幣処理装置外へ返却するための返却部と、前記貨幣を当該貨幣処理装置内に取り込むための受取部とを含み、前記特定種別は、偽貨に該当し、前記制御部は、前記識別部によって識別された前記貨幣の種別が前記偽貨に該当する場合に、前記使用環境情報に応じて、当該貨幣を前記返却部に搬送するか、または当該貨幣を前記受取部に搬送するかを決定するように構成されていてもよい。
【００２１】
前記の構成では、貨幣処理装置の使用環境に応じて偽貨の搬送を自動的に制御することができる。
【００２２】
前記特定種別は、損貨に該当し、前記制御部は、前記識別部によって識別された前記貨幣の種別が前記損貨に該当する場合に、前記使用環境情報に応じて、当該貨幣を損貨として処理するか、または当該貨幣を正貨として処理するかを決定するように構成されていてもよい。
【００２３】
前記の構成では、貨幣処理装置の使用環境に応じて損貨の搬送を自動的に制御することができる。
【００２４】
前記搬送先は、第１収納部と、前記第１収納部のセキュリティレベルよりも高いセキュリティレベルを有する第２収納部とを含み、前記特定種別は、出金リジェクト貨幣に該当し、前記制御部は、前記識別部によって識別された前記貨幣が前記出金リジェクト貨幣に該当する場合に、前記使用環境情報に応じて、当該貨幣を前記第１収納部に搬送するか、または当該貨幣を前記第２収納部に搬送するかを決定するように構成されていてもよい。
【００２５】
前記の構成では、貨幣処理装置の使用環境に応じて出金リジェクト貨幣の搬送を自動的に制御することができる。
【００２６】
前記貨幣処理装置は、当該貨幣処理装置の使用状態を検出する状態検出部をさらに備え、前記制御部は、前記使用状態と前記使用環境情報に応じて前記貨幣の搬送を制御するように構成されていてもよい。
【００２７】
前記の構成では、貨幣処理装置の使用環境と貨幣処理装置の使用状態とに応じて貨幣の搬送を自動的に制御することができる。
【００２８】
前記貨幣処理装置は、前記貨幣を収納するように構成された収納部をさらに備え、前記制御部は、前記状態検出部が前記収納部の満杯状態を検出した場合に、前記使用環境情報に応じて、満杯状態となった前記収納部に搬送すべき種別の貨幣の搬送を制御するように構成されていてもよい。
【００２９】
前記の構成では、収納部が満杯状態となっている場合に、その満杯状態となった収納部に搬送すべき種別の貨幣の搬送を貨幣処理装置の使用環境に応じて自動的に制御することができる。
【００３０】
前記貨幣処理装置は、前記貨幣を収納するように構成された収納部をさらに備え、前記制御部は、前記状態検出部が前記識別部によって識別された貨幣の種別が前記収納部に割り当てられていないことを検出した場合に、前記使用環境情報に応じて、当該種別の貨幣の搬送を制御するように構成されていてもよい。
【００３１】
前記の構成では、識別部によって識別された貨幣の種別が収納部に割り当てられていない場合に、その種別の貨幣の搬送を貨幣処理装置の使用環境に応じて自動的に制御することができる。
【００３２】
前記貨幣処理装置は、前記貨幣を収納するように構成され、前記貨幣処理装置に対し着脱可能な収納部をさらに備え、前記制御部は、前記状態検出部が前記貨幣処理装置から前記収納部が取り外されていることを検出した場合に、前記使用環境情報に応じて、取り外されている前記収納部に搬送すべき貨幣の搬送を制御するように構成されていてもよい。
【００３３】
前記の構成では、貨幣処理装置から収納部が取り外されている場合に、その取り外されている収納部に搬送すべき貨幣の搬送を貨幣処理装置の使用環境に応じて自動的に制御することができる。
【００３４】
前記貨幣処理装置は、当該貨幣処理装置の操作者が予め定められた特定作業員に該当するか否かを判定する操作者判定部をさらに備え、前記設定部は、前記操作者判定部において前記操作者が前記特定作業員に該当すると判定された場合に、当該操作者による操作に応じた前記使用環境情報の設定を許可されるように構成されていてもよい。
【００３５】
前記の構成では、特定作業員に該当する操作者に対して使用環境情報の設定を許可することができる。
【００３６】
ここに開示する技術は、貨幣処理装置により貨幣の処理を行う貨幣処理方法に関し、この貨幣処理方法は、前記貨幣処理装置の使用環境に関する使用環境情報を設定する設定ステップと、前記貨幣の種別を識別する識別ステップと、前記設定ステップにおいて設定された使用環境情報に応じて、前記貨幣の種別のうち予め定められた特定種別に該当する貨幣の搬送を制御する搬送制御ステップとを備えている。
【００３７】
前記の方法では、設定ステップにおいて貨幣処理装置の使用環境に関する使用環境情報を設定することにより、搬送制御ステップにおいて使用環境情報に応じた制御（搬送部による貨幣の搬送に関する制御）を行うことができる。これにより、貨幣処理装置の使用環境に応じて貨幣の搬送を自動的に制御することができるので、ユーザの負担を軽減することができる。
【発明の効果】
【００３８】
以上のように、使用環境に応じて貨幣の搬送を自動的に制御することができるので、ユーザの負担を軽減することができる。
【図面の簡単な説明】
【００３９】
【図１】実施形態による紙幣処理装置の概略斜視図である。
【図２】実施形態による紙幣処理装置の概略構成図である。
【図３】実施形態による紙幣処理装置のブロック図である。
【図４】使用環境情報と特定貨幣搬送制御方法との対応を示した搬送制御テーブルの具体例１を示す図である。
【図５】紙幣処理装置による動作の具体例１を示すフローチャートである。
【図６】使用環境情報と特定貨幣搬送制御方法との対応を示した搬送制御テーブルの具体例２を示す図である。
【図７】紙幣処理装置による動作の具体例２を示すフローチャートである。
【図８】使用環境情報と特定貨幣搬送制御方法との対応を示した搬送制御テーブルの具体例３を示す図である。
【図９】紙幣処理装置による動作の具体例３を示すフローチャートである。
【図１０】実施形態の変形例１による紙幣処理装置のブロック図である。
【図１１】使用環境情報と特定状態搬送制御方法との対応を示した搬送制御テーブルの具体例を示す図である。
【図１２】使用環境情報と特定貨幣搬送制御方法との対応を示した搬送制御テーブルの具体例４を示す図である。
【図１３】紙幣整理機の概略斜視図である。
【発明を実施するための形態】
【００４０】
以下、実施の形態を図面を参照して詳しく説明する。なお、図中同一または相当部分には同一の符号を付しその説明は繰り返さない。
【００４１】
（紙幣処理装置）
図１，図２，図３は、実施形態による紙幣処理装置１の構成例を示している。紙幣処理装置１は、貨幣を処理する貨幣処理装置の一例である。この例では、紙幣処理装置１は、循環式の入出金機を構成しており、出金処理の際に紙幣処理装置１が払い出す紙幣には、入金処理の際に紙幣処理装置１に収納した紙幣が含まれる。具体的には、紙幣処理装置１は、筐体１０と、識別ユニット２０と、搬送部３０と、操作部４０と、制御ユニット５０とを備えている。紙幣処理装置１は、処理部６１と金庫部６２に大別され、金庫部６２は、第１金庫部６３と第２金庫部６４とに区別される。
【００４２】
〔筐体〕
筐体１０には、識別ユニット２０と搬送部３０と制御ユニット５０とが収容されている。また、筐体１０の前面には、操作部４０が設けられている。筐体１０は、処理部６１を構成する処理部側筐体７０と、金庫部６２を構成する防護筐体８０とにより構成されている。
【００４３】
〔処理部側筐体〕
処理部側筐体７０には、識別ユニット２０と搬送部３０と操作部４０と制御ユニット５０とが配置されている。この例では、処理部側筐体７０と識別ユニット２０と搬送部３０と操作部４０と制御ユニット５０とが処理部６１を構成している。また、処理部側筐体７０には、入金部７１と、出金部７２と、一時保留部７３とが設けられている。
【００４４】
〈入金部〉
入金部７１は、紙幣が投入されるように構成されている。この例では、入金部７１は、その入金口が処理部側筐体７０の上面において上向きに開口していて、複数枚の紙幣を一度に受け入れ可能に構成されている。また、入金部７１は、繰り出し機構（図示を省略）を有している。繰り出し機構は、入金部７１に投入された複数枚の紙幣を搬送部３０に１枚ずつ繰り出すように構成されている。また、入金部７１には、入金部７１における紙幣の在否を検出する紙幣センサなどの各種センサ（図示を省略）が設けられていてもよい。具体的には、紙幣センサは、光を送信する送信部と光を受信する受信部とを有し、送信部から出射されて受信部に到達する光が遮断されることによって紙幣が存在していることを検出するように構成されている。そして、紙幣センサは、入金部７１内の紙幣により光が遮断されるように配置され、光が遮断されることによって入金部７１内に紙幣が存在していることを検出する。
【００４５】
〈出金部〉
出金部７２は、紙幣を払い出すように構成されている。この例では、出金部７２は、搬送されてきた紙幣を集積するように構成されている。また、出金部７２は、その出金口が入金部７１の入金口よりも装置手前側（図２の右側）の処理部側筐体７０における上面から前面にかけての位置において斜め上方へ向けて開口しており、複数枚の紙幣を一度に保持可能に構成されている。また、出金部７２には、出金部７２における紙幣の在否を検出する紙幣センサなどの各種センサ（図示を省略）が設けられていてもよい。
【００４６】
〈一時保留部〉
一時保留部７３は、紙幣を一時的に収納するように構成されている。この例では、一時保留部７３は、巻き取り方式に構成されている。すなわち、一時保留部７３は、紙幣を１枚ずつ巻き取って収納するとともに、その収納した順番とは逆順で紙幣を１枚ずつ繰り出す（いわゆる先入れ後出しとなる）ように紙幣を収納する。また、一時保留部７３には、一時保留部７３における紙幣の在否を検出する紙幣センサなどの各種センサ（図示を省略）が設けられていてもよい。
【００４７】
〔防護筐体〕
防護筐体８０は、所定以上のセキュリティレベルで防護するように構成されている。具体的には、防護筐体８０のセキュリティレベルは、処理部側筐体７０のセキュリティレベルよりも高くなっている。防護筐体８０の前面には、第１金庫部６３を開閉するための第１開閉扉６３ａと、第２金庫部６４を開閉するための第２開閉扉６４ａとがそれぞれ個別に設けられている。そして、第１および第２開閉扉６３ａ，６４ａには、それぞれ別の電子錠が設けられている。このような構成により、第１金庫部６３のアクセス権限と第２金庫部６４のアクセス権限とが互いに異なっている。
【００４８】
防護筐体８０の上部には、複数のスタック式の収納カセット（この例では、第１〜第５収納カセット８１〜８５）が収容され、防護筐体８０の下部には、スタック式の回収カセット８６が収容されている。この例では、防護筐体８０の上部と第１〜第５収納カセット８１〜８５とが第１金庫部６３を構成し、防護筐体８０の下部と回収カセット８６とが第２金庫部６４を構成している。
【００４９】
〈収納カセット〉
第１〜第５収納カセット８１〜８５は、第１金庫部６３に対して着脱可能に構成されている。具体的には、第１金庫部６３は、第１金庫部６３の第１金庫扉６３ａを開けた状態において装置の手前に引き出し可能に構成されたスライド部（図示を省略）を有し、第１〜第５収納カセット８１〜８５は、スライド部に対して着脱可能に構成されている。
【００５０】
第１，第２，第３，第５収納カセット８１，８２，８３，８５は、上下方向に細長い形状を有している。第１収納カセット８１の上面には、紙幣の通過が可能な出入口がカセットの内外を連通するように形成されている。第２，第３，第５収納カセット８２，８３，８５は、第１収納カセット８１と同様の構成となっている。また、第１，第２，第３，第５収納カセット８１，８２，８３，８５には、通過センサＳ８１，Ｓ８２，Ｓ８３，Ｓ８５と集積台８１ａ，８２ａ，８３ａ，８５ａとが設けられている。通過センサＳ８１は、第１収納カセット８１の出入口における紙幣の通貨を検知するように構成されている。具体的には、通過センサＳ８１は、光を送信する送信部と光を受信する受信部とを有し、搬送路９１を通過する紙幣により光が遮断されるように配置され、光が遮断されることによって紙幣が通過したことを検出するように構成されている。通過センサＳ８２，Ｓ８３，Ｓ８５は、通過センサＳ８１と同様の構成となっている。集積台８１ａは、第１収納カセット８１に集積される紙幣の量に応じて昇降するように構成されている。集積台８２ａ，８３ａ，８５ａは、集積台８１ａと同様の構成となっている。
【００５１】
第４収納カセット８４は、その内部に仕切りが設けられており、これによって上側の第４収納カセット上部８７と下側の第４収納カセット下部８８とに分割されている。第４収納カセット上部８７の上面には、紙幣の通過が可能な出入口がカセットの内外を連通するように形成されている。また、第４収納カセット上部８７には、通過センサＳ８７と集積台８７ａとが設けられている。通過センサＳ８７および集積台８７ａは、通過センサＳ８１および集積台８１ａと同様の構成となっている。第４収納カセット下部８８の側面には、紙幣の通過が可能な出入口がカセットの内外を連通するように形成されている。また、第４収納カセット下部８８には、通過センサＳ８８と集積台８８ａとが設けられている。通過センサＳ８８および集積台８８ａは、通過センサＳ８１および集積台８１ａと同様の構成となっている。
【００５２】
以上のような構成により、第１収納カセット８１は、搬送部３０から出入口を通過して内部に送り込まれた紙幣を集積台８１ａの上において下から上の順に積み重ねて収納するように構成されているとともに、集積台８１ａ上に積み重ねられた紙幣を上から下の順に１枚ずつ出入口を通じてカセット外（すなわち搬送部３０）に繰り出すことが可能に構成されている。第２，第３，第５収納カセット８２，８３，８５，第４収納カセット上部８７，第４収納カセット下部８８についても、第１収納カセット８１と同様となっている。
【００５３】
〈回収カセット〉
回収カセット８６は、第２金庫部６４に対して着脱可能に構成されている。また、回収カセット８６は、装置の奥行き方向に細長い形状を有しており、その内部に奥行き方向に移動する札押さえ（図示を省略）を有している。そして、回収カセット８６は、その札押さえが紙幣の収納量に応じて移動をしながら、立てた姿勢の紙幣を奥行き方向に並べるように収納するよう構成されている。なお、回収カセット８６は、収納している紙幣を繰り出し不可に構成されている。また、回収カセット８６には、通過センサＳ８６が設けられている。通過センサＳ８６は、通過センサＳ８１と同様の構成となっている。なお、回収カセット８６は、第２金庫部６４から取り出し不可に構成されていてもよい。
【００５４】
〔識別ユニット〕
識別ユニット２０は、紙幣の種別の識別を行うように構成されており、ラインセンサや磁気センサや画像センサなどの各種センサと識別部２１とを有している。識別部２１は、各種センサにより取得された紙幣の特徴に基づいて紙幣の種別を行う。具体的には、識別部２１は、各種センサにより取得される紙幣の特徴と予め記憶されている紙幣の各種別の特徴とを比較することにより紙幣の種別を識別するように構成されている。
【００５５】
この例では、識別部２１は、紙幣の金種と真偽と正損とを識別するように構成されている。紙幣の金種識別では、紙幣の通貨単位や通貨額などが識別される。紙幣の真偽識別では、紙幣が真券（真貨）に該当するか偽券（偽貨）に該当するかが識別される。紙幣の正損識別では、紙幣が正券（正貨）に該当するのか損券（損貨）に該当するのかが識別される。
【００５６】
また、この例では、識別部２１は、紙幣の搬送異常を識別するように構成されている。搬送異常は、紙幣の搬送状態が予め定められた正常な搬送状態ではなく、斜行状態（紙幣の搬送方向に対する斜行角度が所定の許容斜行角度よりも大きくなっている状態）や連鎖状態（連続して搬送される紙幣間の距離である紙幣間距離が所定の許容紙幣間距離よりも小さくなっている状態）などの異常な搬送状態となっている状態のことである。
【００５７】
なお、識別部２１は、例えば、ＣＰＵなどの演算処理部や演算処理部を動作させるための各種プログラムや情報を記憶するメモリ（記憶部）などにより構成されている。また、識別部２１は、制御ユニット５０に含まれていてもよい。
【００５８】
〔搬送部〕
搬送部３０は、紙幣を搬送するように構成されている。具体的には、搬送部３０は、搬送路９１を有している。搬送路９１は、搬送ベルトや搬送ベルトを駆動する駆動機構などにより構成されている。この例では、搬送路９１は、ループ搬送路９１０と、投入路９１１と、払出路９１２、保留路９１３と、第１〜第６分岐路９２１〜９２６と、分岐路９２８とを有している。投入路９１１は、ループ搬送路９１０から入金部７１まで延び、払出路９１２は、ループ搬送路９１０から出金部７２まで延び、保留路９１３は、ループ搬送路９１０から一時保留部７３まで延びている。第１，第２，第３分岐路９２１，９２２，９２３は、ループ搬送路９１０から第１，第２，第３収納カセット８１，８２，８３の出入口まで延び、第４分岐路９２４は、ループ搬送路９１０から第４収納カセット上部８７の出入口まで延び、第５分岐路９２５は、ループ搬送路９１０から第５収納カセット８５の出入口まで延びている。第６分岐路９２６は、ループ搬送路９１０から回収カセット８６まで延び、分岐路９２８は、第６分岐路９２６の中途部から第４収納カセット下部８８の出入口まで延びている。なお、搬送路９１には、搬送路９１における紙幣の通過を検出する通過センサなどの各種センサ（図示を省略）が設けられていてもよい。
【００５９】
〔操作部〕
操作部４０は、操作者により操作されて情報を入力するように構成されている。この例では、操作部４０は、情報を表示する表示部を兼ねている。具体的には、操作部４０は、タッチパネルにより構成されている。なお、操作部４０は、ＩＤカードに記憶されている識別ＩＤを読み取る機能を有していてもよい。
【００６０】
〔制御ユニット〕
図３に示すように、制御ユニット５０は、入金部７１，出金部７２，一時保留部７３，第１収納カセット８１，第２収納カセット８２，第３収納カセット８３，第４収納カセット８４（第４収納カセット上部８７と第５収納カセット下部８８），第５収納カセット８５，回収カセット８６，識別ユニット２０の識別部２１，搬送部３０，操作部４０と通信可能に接続されている。そして、制御ユニット５０は、紙幣処理装置１の各部に設けられた各種センサ（通過センサＳ８１〜Ｓ８３，Ｓ８５〜Ｓ８８など）と接続され、これらの検出信号を入力するように構成されている。また、制御ユニット５０は、外部機器１００と通信可能に接続されている。外部機器１００の例としては、金融機関のセンターなどに設置されるサーバなどの上位端末や、外部ディスプレイなどの表示装置や、プリンタなどの出力装置や、ブザーなどの警報装置や、ＵＳＢメモリなどの外部記憶装置や、ＩＤカードに記憶されている識別ＩＤを読み取るカードリーダなどの入力装置などが挙げられる。なお、これらの接続は、有線であってもよいし無線であってもよい。この例では、制御ユニット５０は、操作者判定部５１と、設定部５２と、制御部５３とを有している。
【００６１】
〈操作者判定部〉
操作者判定部５１は、紙幣処理装置１の操作者が予め定められた特定作業員に該当するか否かを判定するように構成されている。この例では、操作者判定部５１は、操作部４０を操作する操作者が予め定められた特定作業員に該当するか否かを判定するように構成されている。具体的には、操作者判定部５１は、操作部４０に入力された識別ＩＤや操作部４０によって読み込まれたＩＤカードの識別ＩＤと予め記憶している識別ＩＤ（特定作業員に割り当てられている識別ＩＤ）とを照合することにより操作者が特定作業員に該当するか否かを判定する。
【００６２】
〈設定部〉
設定部５２は、使用環境情報を設定するように構成されている。この例では、設定部５２は、操作部４０に与えられた操作（すなわち操作部４０に入力された情報）に応じて使用環境情報を設定（または変更）するように構成されている。
【００６３】
使用環境情報は、紙幣処理装置１の使用環境に関する情報に該当する。具体的には、使用環境情報は、使用場所項目と店舗項目と使用対象者項目のうち少なくとも１つを含んでいる。使用場所項目は、紙幣処理装置１の使用場所に関する情報項目に該当し、例えば、紙幣処理装置１の設置場所が属する国または地域や、紙幣処理装置１の施設内における設置位置などを示している。店舗項目は、紙幣処理装置１を設置する店舗に関する情報項目に該当し、例えば、紙幣処理装置１を設置する店舗の業種を示している。使用対象者項目は、紙幣処理装置１の使用対象者に関する情報項目に該当し、例えば、紙幣処理装置１の使用対象者の種別を示している。
【００６４】
なお、この例では、設定部５２は、操作者判定部５１において紙幣処理装置１の操作者が特定作業員に該当すると判定された場合に、操作者による操作に応じた使用環境情報の設定を許可され、操作者判定部５１において紙幣処理装置１の操作者が特定作業員に該当しないと判定された場合に、操作者による操作に応じた使用環境情報の設定を禁止されるように構成されている。すなわち、設定部５２は、操作者判定部５１において操作者が特定作業員に該当すると判定された場合にのみ、操作者による操作に応じた使用環境情報の設定を許可されるように構成されている。
【００６５】
また、設定部５２は、特定貨幣搬送ルールを設定するように構成されている。この例では、設定部５２は、操作部４０に与えられた操作（すなわち操作部４０に入力された情報）に応じて特定貨幣搬送ルールを設定（または変更）するように構成されている。特定貨幣搬送ルールは、紙幣処理装置１のどの使用環境下において予め定められた特定種別の紙幣の搬送制御方法（特定貨幣搬送制御方法）がどの搬送制御方法に決定されるべきかを示している。具体的には、設定部５２は、特定貨幣搬送ルールを示した搬送制御テーブル（図４など参照）を有している。搬送制御テーブルは、使用環境情報と特定種別の紙幣に関する搬送制御方法（特定貨幣搬送制御方法）との対応を示している。
【００６６】
なお、この例では、設定部５２は、操作者判定部５１において紙幣処理装置１の操作者が特定作業員に該当すると判定された場合に、操作者による操作に応じた特定貨幣搬送ルールの設定を許可され、操作者判定部５１において紙幣処理装置１の操作者が特定作業員に該当しないと判定された場合に、操作者による操作に応じた特定貨幣搬送ルールの設定を禁止されるように構成されている。すなわち、設定部５２は、操作者判定部５１において操作者が特定作業員に該当すると判定された場合にのみ、操作者による操作に応じた特定貨幣搬送ルールの設定を許可されるように構成されている。
【００６７】
〈制御部〉
制御部５３は、識別部２１における紙幣の識別結果に応じて搬送部３０による紙幣の搬送を制御するように構成されている。具体的には、制御部５３は、予め定められた分類ルール（どの種別の紙幣をどの搬送先へ搬送するのかを示すルール）に基づいて搬送部３０による紙幣の搬送を制御する。
【００６８】
なお、制御部５３は、識別部２１において識別された紙幣の種別が予め定められた特定種別に該当する場合に、設定部５２において設定された使用環境情報に応じて紙幣の搬送を制御するように構成されている。
【００６９】
例えば、制御部５３は、識別部２１によって識別された紙幣の種別が特定種別に該当する場合に、設定部５２において設定された使用環境情報に応じて紙幣の搬送を停止するように構成されていてもよい。このように構成することにより、紙幣処理装置１の使用環境に応じて紙幣の搬送を停止させることができる。
【００７０】
または、制御部５３は、識別部２１によって識別された紙幣の種別が特定種別に該当する場合に、設定部５２において設定された使用環境情報に応じて紙幣を予め定められた搬送先へ搬送するように構成されていてもよい。このように構成することにより、紙幣処理装置１の使用環境に応じて紙幣を予め定められた搬送先へ搬送することができる。
【００７１】
具体的には、制御部５３は、設定部５２において設定された特定貨幣搬送ルール（図４など参照）に基づいて設定部５２において設定された使用環境情報に対応する特定種別の紙幣の搬送制御方法（特定貨幣搬送制御方法）を決定し、識別部２１において識別された紙幣の種別が特定種別に該当する場合に、その決定された特定貨幣搬送制御方法に基づいて搬送部３０による紙幣（特定種別の紙幣）の搬送を制御する。
【００７２】
また、制御部５３は、紙幣の種別毎に紙幣を計数するように構成されている。また、制御部５３は、紙幣処理装置１において処理された紙幣の情報（紙幣の計数結果や識別部２１における紙幣の識別結果など）が紙幣毎に登録された出力用データファイルを作成して外部機器１００へ出力するように構成されている。
【００７３】
〔紙幣処理装置による動作〕
次に、紙幣処理装置１による動作について説明する。まず、設定部５２は、紙幣処理装置１の使用環境に関する使用環境情報を設定する。次に、識別部２１は、紙幣の種別を識別する。そして、制御部５３は、設定部５２において設定された使用環境情報に応じて、識別部２１において識別された紙幣の種別のうち予め定められた特定種別に該当する紙幣の搬送を制御する。
【００７４】
〔実施形態による効果〕
以上のように、設定部５２において紙幣処理装置１の使用環境に関する使用環境情報を設定することにより、制御部５３において使用環境情報に応じた制御（搬送部３０による紙幣の搬送に関する制御）を行うことができる。これにより、紙幣処理装置１の使用環境に応じて紙幣の搬送を自動的に制御することができ、紙幣処理装置１の使用環境に応じた搬送制御の設定に要するユーザの負担を軽減することができる。
【００７５】
また、使用環境情報が使用場所項目（紙幣処理装置１の使用場所に関する情報項目）と店舗項目（紙幣処理装置１を設置する店舗に関する情報項目）と使用対象者項目（紙幣処理装置１の使用対象者に関する情報項目）とのうち少なくとも１つを含んでいるので、紙幣処理装置１の使用場所と紙幣処理装置１を設置する店舗と紙幣処理装置１の使用対象者とのうち少なくとも１つに応じて紙幣の搬送を自動的に制御することができる。
【００７６】
具体的には、使用環境情報の使用場所項目が紙幣処理装置１の設置場所が属する国または地域を示している場合、紙幣処理装置１の設置場所が属する国または地域に応じて紙幣の搬送を自動的に制御することができる。
【００７７】
また、使用環境情報の使用場所項目が紙幣幣処理装置１の施設内における設置位置を示していている場合、紙幣処理装置１の施設内における設置位置に応じて紙幣の搬送を自動的に制御することができる。
【００７８】
また、使用環境情報の店舗項目が紙幣処理装置１を設置する店舗の業種を示している場合、紙幣処理装置１を設置する店舗の業種に応じて紙幣の搬送を自動的に制御することができる。
【００７９】
また、使用環境情報の使用対象者項目が紙幣処理装置１の使用対象者の種別を示している場合、紙幣処理装置１の使用対象者の種別に応じて紙幣の搬送を自動的に制御することができる。
【００８０】
また、操作者判定部５１において操作者が特定作業員に該当すると判定された場合に操作者による操作に応じた使用環境情報の設定を許可されるように設定部５２を構成することにより、特定作業員に該当する操作者に対して使用環境情報の設定を許可することができる。
【００８１】
また、操作者判定部５１において操作者が特定作業員に該当しないと判定された場合に操作者による操作に応じた使用環境情報の設定を禁止されるように設定部５２を構成することにより、特定作業員に該当しない操作者に対して使用環境情報の設定を禁止することができる。
【００８２】
〔欧州における偽券の取り扱い〕
ここで、欧州における偽券の取り扱いについて説明する。欧州では、偽券を顧客に返却せずに回収することが義務付けられている。そのため、紙幣処理装置１の設置場所が欧州に属している場合、紙幣処理装置１内に偽券が取り込まれることが好ましい。一方、紙幣処理装置１の設置場所が欧州以外の国または地域に属している場合、紙幣処理装置１外に偽券が返却されてもよい。ただし、紙幣処理装置１の設置場所が欧州に属している場合であっても、紙幣処理装置１が設定される店舗の業種が銀行業に該当し、且つ、紙幣処理装置１の使用対象者が係員（銀行の係員）に該当する場合は、紙幣処理装置１外に偽券が返却されることが好ましい。その理由は、紙幣処理装置１から返却された偽券を係員が回収することにより、欧州における偽券の回収義務を果たすことができるからである。
【００８３】
〔紙幣処理装置による動作の具体例１〕
次に、図４および図５を参照して、紙幣処理装置１による動作の具体例１を説明する。この例では、特定種別は、偽券に該当する。紙幣の搬送先には、紙幣を紙幣処理装置１外へ返却するための返却部（この例では出金部７２）と、紙幣を紙幣処理装置１内に取り込むための受取部（この例では回収カセット８６）とが含まれている。そして、制御部５３は、識別部２１によって識別された紙幣の種別が偽券に該当する場合に、設定部５２において設定された使用環境情報に応じて、紙幣を返却部に搬送するか、または、紙幣を受取部に搬送するかを決定するように構成されている。
【００８４】
具体的には、この例では、使用環境情報は、使用場所項目と店舗項目と使用対象者項目とを含み、使用場所項目は、紙幣処理装置１の設置場所が属する国または地域を示し、店舗項目は、紙幣処理装置１を設置する店舗の業種を示し、使用対象者項目は、紙幣処理装置１の使用対象者の種別（係員や顧客など）を示している。また、設定部５２は、図４に示すような搬送制御テーブルを有している。図４の搬送制御テーブル（特定貨幣搬送ルール）は、紙幣処理装置１のどの使用環境下において、偽券（特定種別の紙幣）の搬送制御方法を、紙幣を返却部に搬送するという第１搬送制御方法と、紙幣を受取部に搬送するという第２搬送制御方法とのどちらに決定すべきかを示している。そして、制御部５３は、設定部５２において設定された特定貨幣搬送ルールに基づいて、設定部５２において設定された使用環境情報に対応する偽券の搬送制御方法（特定貨幣搬送制御方法）を第１および第２搬送制御方法のいずれかに決定し、識別部２１において識別された紙幣の種別が偽券に該当する場合に、その決定された特定貨幣搬送制御方法に基づいて搬送部３０による紙幣（偽券）の搬送を制御する。
【００８５】
この例では、紙幣処理装置１において図５に示すような設定動作が行われる。ここで、図５を参照して、紙幣処理装置１における設定動作について説明する。
【００８６】
〈ステップＳＴ１０１〉
まず、設定部５２は、使用環境情報を設定する。
【００８７】
〈ステップＳＴ１０２，ＳＴ１０３〉
次に、制御部５３は、使用環境情報の使用場所項目に示された国または地域が欧州に該当するか否かを判定する（ＳＴ１０２）。使用環境情報の使用場所項目に示された国または地域が欧州に該当しない場合、制御部５３は、偽券の搬送制御方法を第１搬送制御方法（紙幣を返却部に搬送するという搬送制御方法）に決定する（ＳＴ１０３）。一方、使用環境情報の使用場所項目に示された国または地域が欧州に該当する場合は、ステップＳＴ１０４へ進む。
【００８８】
〈ステップＳＴ１０４，ＳＴ１０５〉
次に、制御部５３は、使用環境情報の店舗項目に示された業種が銀行業に該当するか否かを判定する（ＳＴ１０４）。使用環境情報の店舗項目に示された業種が銀行業に該当しない場合、制御部５３は、偽券の搬送制御方法を第２搬送制御方法（紙幣を受取部に搬送するという搬送制御方法）に決定する（ＳＴ１０５）。一方、使用環境情報の店舗項目に示された業種が銀行業に該当する場合は、ステップＳＴ１０６へ進む。
【００８９】
〈ステップＳＴ１０６，ＳＴ１０７，ＳＴ１０８〉
次に、制御部５３は、使用環境情報の使用対象者項目に示された使用対象者の種別が係員に該当するか否かを判定する（ＳＴ１０６）。使用環境情報の使用対象者項目に示された使用対象者の種別が係員に該当しない場合、制御部５３は、偽券の搬送制御方法を第２搬送制御方法（紙幣を受取部に搬送するという搬送制御方法）に決定する（ＳＴ１０７）。一方、使用環境情報の使用対象者項目に示された使用対象者の種別が係員に該当する場合、制御部５３は、偽券の搬送制御方法を第１搬送制御方法（紙幣を返却部に搬送するという搬送制御方法）に決定する（ＳＴ１０８）。
【００９０】
以上のように、紙幣処理装置１の使用環境に応じて偽券の搬送を自動的に制御することができる。
【００９１】
なお、上述の制御は、特定紙幣が偽券に該当する場合だけでなく、特定貨幣が損券に該当する場合にも適用可能である。すなわち、制御部５３は、識別部２１によって識別された紙幣の種別が損券に該当する場合に、設定部５２において設定された使用環境情報に応じて、紙幣を返却部に搬送するか、または、紙幣を受取部に搬送するかを決定するように構成されていてもよい。
【００９２】
〔後進国における損券の取り扱い〕
ここで、後進国における損券の取り扱いについて説明する。後進国では、損券を正券として処理することが好ましい場合がある。例えば、貨幣制度の整備が遅れていて市場に流通している紙幣の大半が損券である国（すなわち、市場に流通している紙幣の損券率が比較的に高い国）の場合、損券を損券として処理するよりも損券を正券として処理したほうが市場における紙幣の流通が円滑となる。なお、後進国以外の国または地域では、損券を損券として処理することが好ましい。そのため、紙幣処理装置１の設置場所が後進国に属している場合、紙幣処理装置１において損券を正券として処理することが好ましく、紙幣処理装置１の設置場所が後進国以外の国または地域に属している場合、紙幣処理装置１において損券を損券として処理することが好ましい。ただし、紙幣処理装置１の設置場所が後進国に属している場合であっても、紙幣処理装置１を設置する店舗の業種が中央銀行業に該当する場合は、紙幣処理装置１において損券を損券として処理することが好ましい。その理由は、後進国においても中央銀行において損券回収業務が行われていることが多いからである。
【００９３】
〔紙幣処理装置による動作の具体例２〕
次に、図６および図７を参照して、紙幣処理装置１による動作の具体例１を説明する。この例では、特定種別は、損券に該当する。そして、制御部５３は、識別部２１によって識別された紙幣の種別が損券に該当する場合に、設定部５２において設定された使用環境情報に応じて、紙幣を損券として処理するか、または、紙幣を正券として処理するかを決定するように構成されている。
【００９４】
具体的には、この例では、使用環境情報は、使用場所項目と店舗項目とを含み、使用場所項目は、紙幣処理装置１の設置場所が属する国または地域を示し、店舗項目は、紙幣処理装置１を設置する店舗の業種を示している。また、設定部５２は、図６に示すような搬送制御テーブルを有している。図６の搬送制御テーブル（特定貨幣搬送ルール）は、紙幣処理装置１のどの使用環境下において、損券（特定種別の紙幣）の搬送制御方法を、紙幣を損券として処理するという第１搬送制御方法と、紙幣を正券として処理するという第２搬送制御方法とのどちらに決定すべきかを示している。そして、制御部５３は、設定部５２において設定された特定貨幣搬送ルールに基づいて、設定部５２において設定された使用環境情報に対応する特定種別の紙幣（損券）の搬送制御方法（特定貨幣搬送制御方法）を第１および第２搬送制御方法のいずれかに決定し、識別部２１において識別された紙幣の種別が損券に該当する場合に、その決定された特定貨幣搬送制御方法に基づいて搬送部３０による紙幣（損券）の搬送を制御する。
【００９５】
この例では、紙幣処理装置１において図７に示すような設定動作が行われる。ここで、図７を参照して、紙幣処理装置１における設定動作について説明する。
【００９６】
〈ステップＳＴ２０１〉
設定部５２は、使用環境情報を設定する。
【００９７】
〈ステップＳＴ２０２，ＳＴ２０３〉
次に、制御部５３は、使用環境情報の使用場所項目に示された国または地域が後進国に該当するか否かを判定する（ＳＴ２０２）。使用環境情報の使用場所項目に示された国または地域が後進国に該当しない場合、制御部５３は、損券の搬送制御方法を第１搬送制御方法（紙幣を損券として処理するという搬送制御方法）に決定する（ＳＴ２０３）。一方、使用環境情報の使用場所項目に示された国または地域が後進国に該当する場合は、ステップＳＴ２０４へ進む。
【００９８】
〈ステップＳＴ２０４，ＳＴ２０５，ＳＴ２０６〉
次に、制御部５３は、使用環境情報の店舗項目に示された業種が中央銀行業に該当するか否かを判定する（ＳＴ２０４）。使用環境情報の店舗項目に示された業種が中央銀行業に該当しない場合、制御部５３は、損券の搬送制御方法を第２搬送制御方法（紙幣を正券として処理するという搬送制御方法）に決定する（ＳＴ２０５）。一方、使用環境情報の店舗項目に示された業種が中央銀行業に該当する場合、制御部５３は、損券の搬送制御方法を第１搬送制御方法（紙幣を損券として処理するという搬送制御方法）に決定する（ＳＴ２０６）。
【００９９】
以上のように、紙幣処理装置１の使用環境に応じて損券の搬送を自動的に制御することができる。
【０１００】
〔リテールにおける出金リジェクト券の取り扱い〕
ここで、リテールにおける出金リジェクト券（出金リジェクト貨幣）の取り扱いについて説明する。なお、リテールは、小売業など銀行業以外の業種に属する店舗のことであり、出金リジェクト券は、出金に適さない紙幣のことである。一般的に、リテールのセキュリティレベルは、銀行のセキュリティレベルよりも低くなっている。そのため、紙幣処理装置１を設置する店舗の業種が銀行業以外に該当する場合、紙幣処理装置１のうちセキュリティレベルが比較的に高くなっている収納部に出金リジェクト券が収納されることが好ましい。一方、銀行自体にセキュリティ性が確保されているので、紙幣処理装置１を設置する店舗の業種が銀行業に該当する場合、紙幣処理装置１のうちセキュリティレベルが比較的に低くなっている収納部に出金リジェクト券が収納されてもよい。ただし、紙幣処理装置１を設置する店舗の業種が銀行業以外に該当する場合であっても、紙幣処理装置１の設置場所がバックオフィスに該当する場合は、紙幣処理装置１のうちセキュリティレベルが比較的に低くなっている収納部に出金リジェクト券が収納されてもよい。その理由は、施設内においてバックオフィスのセキュリティレベルがフロントのセキュリティレベルよりも高くなっているからである。なお、バックオフィスは、施設の関係者のみ立ち入りが許可されているエリア（すなわち、施設の利用者は立ち入りが禁止されているエリア）のことであり、例えば、施設の管理室や、銀行などの事務スペースのことである。また、フロントは、施設の関係者だけでなく施設の利用者も立ち入りが許可されているエリアのことであり、例えば、施設の受付窓口や、銀行などの営業スペースのことである。
【０１０１】
〔紙幣処理装置による動作の具体例３〕
次に、図８および図９を参照して、紙幣処理装置１による動作の具体例１を説明する。この例では、特定種別は、出金リジェクト券に該当する。なお、制御部５３は、出金処理において判定対象の紙幣が識別部２１において搬送異常に該当すると識別されている場合に、判定対象の紙幣が出金リジェクト券に該当すると判定するように構成されている。紙幣の搬送先には、第１収納部（この例では処理部６１、具体的には一時保留部７３）と、第１収納部のセキュリティレベルよりも高いセキュリティレベルを有する第２収納部（この例では金庫部６２、具体的には回収カセット８６）とが含まれている。そして、制御部５３は、識別部２１によって識別された紙幣が出金リジェクト券に該当する場合に、設定部５２において設定された使用環境情報に応じて、紙幣を第１収納部に搬送するか、または、紙幣を第２収納部に搬送するかを決定するように構成されている。
【０１０２】
具体的には、この例では、使用環境情報は、店舗項目と使用場所項目とを含み、店舗項目は、紙幣処理装置１を設置する店舗の業種を示し、使用場所項目は、紙幣処理装置１の施設内における設置位置（フロントやバックエンドなど）を示している。また、設定部５２は、図８に示すような搬送制御テーブルを有している。図８の搬送制御テーブル（特定貨幣搬送ルール）は、紙幣処理装置１のどの使用環境下において、出金リジェクト券（特定種別の紙幣）の搬送制御方法を、紙幣を第１収納部（この例では処理部６１）に搬送するという第１搬送制御方法と、紙幣を第２収納部（この例では金庫部６２）に搬送するという第２搬送制御方法とのどちらに決定すべきかを示している。そして、制御部５３は、設定部５２において設定された特定貨幣搬送ルールに基づいて、設定部５２において設定された使用環境情報に対応する出金リジェクト券の搬送制御方法（特定貨幣搬送制御方法）を第１および第２搬送制御方法のいずれかに決定し、識別部２１において識別された紙幣が出金リジェクト券に該当する場合に、その決定された特定貨幣搬送制御方法に基づいて搬送部３０による紙幣（出金リジェクト券）の搬送を制御する。
【０１０３】
この例では、紙幣処理装置１において図９に示すような設定動作が行われる。ここで、図９を参照して、紙幣処理装置１における設定動作について説明する。
【０１０４】
〈ステップＳＴ３０１〉
設定部５２は、使用環境情報を設定する。
【０１０５】
〈ステップＳＴ３０２，ＳＴ３０３〉
次に、制御部５３は、使用環境情報の店舗項目に示された業種が銀行業に該当するか否かを判定する（ＳＴ３０２）。使用環境情報の店舗項目に示された業種が銀行業に該当する場合、制御部５３は、出金リジェクト券の搬送制御方法を第１搬送制御方法（紙幣を第１収納部（処理部６１）に搬送するという搬送制御方法）に決定する（ＳＴ３０３）。一方、使用環境情報の店舗項目に示された業種が銀行業に該当しない場合は、ステップＳＴ３０４へ進む。
【０１０６】
〈ステップＳＴ３０４，ＳＴ３０５，ＳＴ３０６〉
次に、制御部５３は、使用環境情報の使用場所項目に示された設置位置（紙幣処理装置１の施設内における設置位置）がバックオフィスに該当するか否かを判定する（ＳＴ３０４）。使用環境情報の使用場所項目に示された設置位置がバックオフィスに該当しない場合、制御部５３は、出金リジェクト券の搬送制御方法を第２搬送制御方法（紙幣を第２収納部（金庫部６２）に搬送するという搬送制御方法）に決定する（ＳＴ３０５）。一方、使用環境情報の使用場所項目に示された設置位置がバックオフィスに該当する場合、制御部５３は、出金リジェクト券の搬送制御方法を第１搬送制御方法（紙幣を第１収納部（処理部６１）に搬送するという搬送制御方法）に決定する（ＳＴ３０６）。
【０１０７】
以上のように、紙幣処理装置１の使用環境に応じて出金リジェクト券の搬送を自動的に制御することができる。
【０１０８】
〔紙幣処理装置の変形例〕
図１０に示すように、紙幣処理装置１の制御ユニット５０は、図３に示した構成に加えて、状態検出部５４を備えていてもよい。状態検出部５４は、紙幣処理装置１の使用状態を検出するように構成されている。そして、この例では、制御部５３は、状態検出部５４において検出された紙幣処理装置１の使用状態と設定部５２において設定された使用環境情報に応じて紙幣の搬送を制御するように構成されている。
【０１０９】
以上のような構成により、紙幣処理装置１の使用環境と紙幣処理装置１の使用状態とに応じて紙幣の搬送を自動的に制御することができる。
【０１１０】
具体的には、設定部５２は、特定状態搬送ルールを設定するように構成されていてもよい。この例では、設定部５２は、操作部４０に与えられた操作（すなわち操作部４０に入力された情報）に応じて特定状態搬送ルールを設定（または変更）するように構成されていてもよい。特定状態搬送ルールは、紙幣処理装置１のどの使用環境下において紙幣処理装置１の予め定められた特定使用状態における紙幣の搬送制御方法（特定状態搬送制御方法）がどの搬送制御方法に決定されるべきかを示している。例えば、設定部５２は、特定状態搬送ルールを示した搬送制御テーブル（図１１参照）を有していてもよい。搬送制御テーブルは、使用環境情報と特定使用状態における紙幣の搬送制御方法（特定状態搬送制御方法）との対応を示している。
【０１１１】
そして、制御部５３は、設定部５２において設定された特定状態搬送ルール（搬送制御テーブル）に基づいて設定部５２において設定された使用環境情報に対応する特定使用状態における紙幣の搬送制御方法（特定状態搬送制御方法）を決定し、状態検出部５４において検出された紙幣処理装置１の使用状態が特定使用状態に該当する場合に、その決定された特定状態搬送制御方法に基づいて搬送部３０による紙幣の搬送を制御するように構成されていてもよい。
【０１１２】
なお、紙幣処理装置１の特定使用状態の例として、オーバーフロー状態と金種未設定状態と収納カセット未装着状態とが挙げられる。以下に、これらの状態を例に挙げて紙幣処理装置１の変形例による動作を具体的に説明する。
【０１１３】
〈紙幣処理装置の変形例による動作の具体例１〉
まず、オーバーフロー状態を紙幣処理装置１の特定使用状態とする場合を例に挙げて説明する。オーバーフロー状態とは、紙幣処理装置１に設けられて紙幣を収納するように構成された収納部（具体的には、第１〜第５収納カセット８１〜８５および回収カセット８６）が満杯状態となっている状態のことである。なお、満杯状態は、紙幣により収納部が物理的に満杯となっている状態であってもよいし、収納部に収納されている紙幣の重量が予め定められた上限重量に到達している状態であってもよいし、収納部に収納されている紙幣の枚数が予め定められた上限枚数に到達している状態であってもよいし、収納部に収納されている紙幣の合計金額が予め定められた上限金額に到達している状態であってもよい。この例では、状態検出部５４は、収納部の満杯状態を検出するように構成されている。そして、制御部５３は、状態検出部５４が収納部の満杯状態を検出した場合に、設定部５２において設定された使用環境情報に応じて、その満杯状態となった収納部に搬送すべき種別の紙幣の搬送を制御するように構成されている。
【０１１４】
以上のような構成により、収納部が満杯状態となっている場合に、その満杯状態となった収納部に搬送すべき種別の紙幣の搬送を紙幣処理装置１の使用環境に応じて自動的に制御することができる。
【０１１５】
〈紙幣処理装置の変形例による動作の具体例２〉
次に、金種未設定状態を紙幣処理装置１の特定使用状態とする場合を例に挙げて説明する。金種未設定状態とは、識別部２１によって識別された紙幣の種別が紙幣処理装置１に設けられて紙幣を収納するように構成された収納部（具体的には、第１〜第５収納カセット８１〜８５および回収カセット８６）に割り当てられていない状態のことである。この例では、状態検出部５４は、識別部２１によって識別された紙幣の種別が収納部に割り当てられていないことを検出するように構成されている。そして、制御部５３は、状態検出部５４が識別部２１によって識別された紙幣の種別が収納部に割り当てられていないことを検出した場合に、設定部５２において設定された使用環境情報に応じて、その種別の紙幣の搬送を制御するように構成されている。
【０１１６】
以上のような構成により、識別部２１によって識別された紙幣の種別が収納部に割り当てられていない場合に、その種別の紙幣の搬送を紙幣処理装置１の使用環境に応じて自動的に制御することができる。
【０１１７】
〈紙幣処理装置の変形例による動作の具体例３〉
次に、収納カセット未装着状態を紙幣処理装置１の特定使用状態とする場合を例に挙げて説明する。収納カセット未装着状態とは、紙幣を収納するように構成されて紙幣処理装置１に対して着脱可能な収納部（具体的には、第１〜第５収納カセット８１〜８５および回収カセット８６）が紙幣処理装置１から取り外されている状態のことである。この例では、状態検出部５４は、紙幣処理装置から収納部が取り外されていることを検出するように構成されている。そして、制御部５３は、状態検出部５３が紙幣処理装置１から収納部が取り外されていることを検出した場合に、設定部５２において設定された使用環境情報に応じて、その取り外されている収納部に搬送すべき紙幣の搬送を制御するように構成されている。
【０１１８】
以上のような構成により、紙幣処理装置１から収納部が取り外されている場合に、その取り外されている収納部に搬送すべき紙幣の搬送を紙幣処理装置１の使用環境に応じて自動的に制御することができる。
【０１１９】
〔紙幣処理装置による動作の具体例４〕
次に、図１２を参照して、紙幣処理装置１による動作の具体例４を説明する。この例では、特定種別は、偽券に該当する。紙幣の搬送先には、紙幣を紙幣処理装置１外へ返却するための返却部（この例では出金部７２）と、紙幣を紙幣処理装置１内に取り込むための受取部（この例では回収カセット８６）とが含まれている。また、使用環境情報は、紙幣処理装置１の使用対象者の権限（使用対象者の種別の一例）を示す使用対象者項目を含んでいる。そして、制御部５３は、識別部２１によって識別された紙幣の種別が偽券に該当する場合に、設定部５２において設定された使用環境情報の使用対象者項目に示された使用対象者の権限に応じて、紙幣を返却部に搬送するか、または、紙幣を受取部に搬送するかを決定するように構成されている。
【０１２０】
具体的には、この例では、設定部５２は、図１２に示すような搬送制御テーブルを有している。図１２の搬送制御テーブル（特定貨幣搬送ルール）は、紙幣処理装置１のどの使用者レベル（使用対象者の権限のレベル）において、偽券（特定種別の紙幣）の搬送制御方法を、紙幣を返却部に搬送するという第１搬送制御方法と、紙幣を受取部に搬送するという第２搬送制御方法とのどちらに決定すべきかを示している。そして、制御部５３は、設定部５２において設定された特定貨幣搬送ルールに基づいて、設定部５２において設定された使用環境情報に対応する偽券の搬送制御方法（特定貨幣搬送制御方法）を第１および第２搬送制御方法のいずれかに決定し、識別部２１において識別された紙幣の種別が偽券に該当する場合に、その決定された特定貨幣搬送制御方法に基づいて搬送部３０による紙幣（偽券）の搬送を制御する。
【０１２１】
以上のような構成により、紙幣処理装置１の使用対象者の権限に応じて偽券の搬送を自動的に制御することができる。
【０１２２】
なお、制御部５３は、識別部２１によって識別された紙幣の種別が偽券に該当する場合に、設定部５２において設定された使用環境情報の使用対象者項目に示された使用対象者の権限に応じて、紙幣の搬送を停止するように構成されていてもよい。
【０１２３】
（その他の実施形態）
図１３は、紙幣処理装置１の一例として、紙幣整理機２を例示している。この紙幣整理機２は、投入された複数枚の紙幣を、予め設定された仕分け内容に従って仕分けて計数するよう構成されている。紙幣整理機２は、紙幣を投入するホッパ２００ａと、リジェクト紙幣を投出する２つのリジェクト部２００ｂと、それぞれ紙幣を集積する４つの集積部２００ｃとを備えており、その内部には、識別ユニット２１と搬送部３０と制御ユニット５０とを備えている。紙幣整理機２においても、設定部５２は、紙幣整理機２の使用環境に関する使用環境情報を設定するように構成され、搬送部３０は、紙幣を搬送するように構成され、識別部２１は、紙幣の種別を識別するように構成され、制御部５３は、識別部２１における紙幣の識別結果に応じて搬送部３０による紙幣の搬送を制御するように構成されている。そして、上述の紙幣処理装置１における制御（具体例１，２，３などを含む制御）や、上述の紙幣処理装置１の変形例における制御（具体例１，２，３などを含む制御）は、図１３に示した紙幣整理機２にも適用可能である。
【０１２４】
なお、紙幣処理装置１は、設定部５２において使用環境情報に応じて紙幣処理装置１の他の機能（搬送部３０の制御とは異なる機能）が自動的に設定されるように構成されていてもよい。例えば、紙幣処理装置１は、設定部５２において使用環境情報に応じて、識別部２１において紙幣の種別が偽券に該当すると識別された場合に警報装置から警報を発するか否か、偽券に該当すると識別された紙幣の情報を出力用データファイルに残すか否かが自動的に決定されるように構成されていてもよい。
【０１２５】
また、以上の説明では、出金部７２が紙幣の出金を行うように構成されている場合を例に挙げたが、出金部７２は、紙幣の入金と出金とを行う入出金部を構成するものであってもよいし、リジェクト券を出金するためのリジェクト券出金部を構成するものであってもよい。
【０１２６】
なお、第１〜第５収納カセット８１〜８５（貨幣収納部）は、紙幣のリサイクルを行うためのリサイクル収納部を構成するものであってもよいし、紙幣の入金のみを行う入金用収納部を構成するものであってもよい。
【０１２７】
回収カセット８６（回収部）は、回収すべき紙幣のみを収納するように構成されていてもよいし、回収すべき紙幣だけでなく他の紙幣も収納するように構成されていてもよい。
【０１２８】
一時保留部７３は、テープ式の巻き取り型に構成されていてもよいし、カセット式の集積型に構成されていてもよい。
【０１２９】
また、制御部５３は、判定対象の紙幣が識別部２１において予め指定された金種（すなわち紙幣処理装置１において処理の対象として指定された金種）とは異なる指定外の金種に該当すると識別されている場合に、判定対象の紙幣が出金リジェクト券に該当すると判定するように構成されていてもよい。すなわち、制御部５３は、出金処理において搬送異常と識別された紙幣および指定外の金種の紙幣のうち少なくとも一方の紙幣が出金リジェクト券に該当すると判定するように構成されていてもよい。
【０１３０】
また、識別部２１は、紙幣の金種識別において紙幣のカテゴリ（欧州中央銀行において定義されたカテゴリ、金種の一例）を識別するように構成されていてもよい。
【０１３１】
また、上述した受取部は、図２に示した出金部７２，一時保留部７３，第１〜第５収納カセット８１〜８５，回収カセット８６，図１３に示したリジェクト部２００ｂ，集積部２００ｃ，その他の紙幣を受け取る部分のいずれでもよい。
【０１３２】
なお、設定部５２が操作部４０に与えられた操作に応じて特定貨幣搬送ルールを設定（または変更）するように構成されている場合を例に挙げたが、設定部５２は、特定貨幣搬送ルールを変更不可に構成されていてもよい。すなわち、特定貨幣搬送ルールは、工場出荷後に紙幣処理装置１の操作者により任意に設定（または変更）されるルールであってもよいし、工場出荷前に紙幣処理装置１の製造メーカにおいて予め登録されるルール（工場出荷後に紙幣処理装置１の操作者により任意に変更できないルール）であってもよい。
【０１３３】
また、操作者判定部５１において判定対象となる操作者が「紙幣処理装置１に設けられた操作部４０を操作する操作者」である場合を例に挙げたが、操作者判定部５１において判定対象となる操作者は「外部機器１００を用いて紙幣処理装置１を遠隔操作する操作者」であってもよい。すなわち、操作者判定部５１は、紙幣処理装置１を遠隔操作する操作者（紙幣処理装置１の操作者の一例）が予め定められた特定作業員に該当するか否かを判定するように構成されていてもよい。例えば、操作者判定部５１は、外部機器１００において読み取られた外部機器１００の操作者の識別ＩＤと予め記憶している識別ＩＤ（特定作業員に割り当てられている識別ＩＤ）とを照合することにより操作者が特定作業員に該当するか否かを判定するように構成されていてもよい。
【０１３４】
また、ここに開示する技術は、紙幣を処理する紙幣処理装置（貨幣処理装置の一例）だけでなく、硬貨を処理する硬貨処理装置（貨幣処理装置の一例）にも適用可能である。
【０１３５】
また、以上の実施形態を適宜組み合わせて実施してもよい。以上の実施形態は、本質的に好ましい例示であって、この開示、その適用物、あるいはその用途の範囲を制限することを意図するものではない。
【産業上の利用可能性】
【０１３６】
以上説明したように、ここに開示する技術は、貨幣を処理する貨幣処理装置や貨幣処理装置により貨幣を処理する貨幣処理方法として有用である。
【符号の説明】
【０１３７】
１          紙幣処理装置（貨幣処理装置）
１０        筐体
２０        識別ユニット
２１        識別部
３０        搬送部
３５        紙幣結束部
４０        操作部（タッチパネル）
５０        制御ユニット
５１        操作者判定部
５２        設定部
５３        制御部
７０        処理部側筐体
７１        入金部
７２        出金部
７３        一時保留部
８０        防護筐体
８１        第１収納カセット
８２        第２収納カセット
８３        第３収納カセット
８４        第４収納カセット
８５        第５収納カセット
８６        回収カセット
【図１】
2017173863.tif 000003
【図２】
2017173863.tif 000004
【図３】
2017173863.tif 000005
【図４】
2017173863.tif 000006
【図５】
2017173863.tif 000007
【図６】
2017173863.tif 000008
【図７】
2017173863.tif 000009
【図８】
2017173863.tif 000010
【図９】
2017173863.tif 000011
【図１０】
2017173863.tif 000012
【図１１】
2017173863.tif 000013
【図１２】
2017173863.tif 000014
【図１３】
2017173863.tif 000015